(57)【特許請求の範囲】
【請求項１】
外装ケース内に内容器を収容して貯湯する器体と、内容器内の内容液を加熱するヒータと、内容器の下部から延びて立ち上がり器体の上部前方への張り出し部に器体外への吐出口を持ち、内容液を器体外に吐出する吐出路と、前記器体の張り出し部の上面に設けられた操作パネルと、前記器体の張り出し部内に設けられた、操作パネルに対応した操作・表示系基板ボックス、および吐出路途中の器体が異常姿勢のときに閉じる止水弁とを備えた電気貯湯容器において、
前記吐出路における止水弁を経た後の吐出口側部分を、操作・表示系基板ボックスまわりと器体の張り出し部周壁との間に前記吐出口側部分配置分残して設けたデッドスペース内を回して、器体の張り出し部の前端側に位置した吐出口に、操作・表示系基板ボックスと上下に重ならないで至るようにしたことを特徴とする電気貯湯容器。
【請求項２】
外装ケース内に内容器を収容して貯湯する器体と、内容器内の内容液を加熱するヒータと、内容器の下部から延びて立ち上がり器体の上部前方への張り出し部に器体外への吐出口を持ち、内容液を器体外に吐出する吐出路と、前記器体の張り出し部の上面に設けられた操作パネルと、前記器体の張り出し部内に設けられた、操作パネルに対応した操作・表示系基板ボックス、および吐出路途中の器体が異常姿勢のときに閉じる転倒時止水弁および前傾時止水弁、またはさらに横向き転倒時止水弁とを備えた電気貯湯容器において、
前記吐出路における前記止水弁を経た後の吐出口側部分を、操作・表示系基板ボックスまわりと器体の張り出し部周壁との間に前記吐出口側部分配置分残して設けたデッドスペース内を回して、器体の張り出し部の前端側に位置した吐出口に、操作・表示系基板ボックスと上下に重ならないで至るようにしたことを特徴とする電気貯湯容器。
【請求項３】
外装ケース内に内容器を収容して貯湯する器体と、内容器内の内容液を加熱するヒータと、内容器の下部から延びて立ち上がり器体の上部前方への張り出し部に器体外への吐出口を持ち、内容液を器体外に吐出する吐出路と、前記器体の張り出し部の上面に設けられた操作パネルと、前記器体の張り出し部内に設けられた、操作パネルに対応した操作・表示系基板ボックス、および吐出路途中の器体が異常姿勢のときに閉じる転倒時止水弁、前傾時止水弁、横向き転倒時止水弁とを備えた電気貯湯容器において、
前記吐出路における前記転倒時止水弁、前傾時止水弁、横向き転倒時止水弁を前記張り出し部の基部の左側または右側に位置するようにし、これら止水弁を経た後の吐出口側部分を、操作・表示系基板ボックスまわりと器体の張り出し部周壁との間に前記吐出口側部分配置分残して設けたデッドスペース内を回して、器体の張り出し部の前端側に位置した吐出口に、操作・表示系基板ボックスと上下に重ならないで至るようにしたことを特徴とする電気貯湯容器。
【発明の詳細な説明】
【０００１】
【発明の属する技術分野】
本発明は内容液を加熱して貯湯しながら必要に応じ吐出して使用されるようにする電気貯湯容器に関し、家庭用の電気ポットなどに利用される。
【０００２】
【従来の技術】
従来の家庭用の電気ポットは、通常、図８に示す従来例１、図９、図１０に示す従来例２、図１１に示す従来例３のように、外装ケースａ内に内容器ｂを収容して貯湯する器体ｃと、内容器ｂ内の内容液を加熱するヒータｄと、内容器ｂの下部から延びて立ち上がり器体ｃの上部前方への張り出し部ｅの前端部ほぼ中央に器体ｃ外への吐出口ｆを持ち、内容液を器体ｃ外に吐出する吐出路ｇと、前記器体ｃの張り出し部ｅの上面に設けられた操作パネルｈと、前記器体ｃの張り出し部ｅ内に設けられた、操作パネルｈに対応した操作・表示系基板ボックスｉを備えている。これによって、操作パネルｈで設定されるモードに従って制御手段ｍがヒータを働かせて貯湯を行ない、ユーザは電動ポンプｎや図示しない手動のポンプを働かせて貯湯されている内容液を吐出路ｇを通じて器体ｃ外に吐出して使用することができる。さらに、吐出路ｇ途中に器体ｃが異常姿勢のときに閉じる転倒時止水弁ｊ、前傾時止水弁ｋ、横向き転倒時止水弁ｐなども設けられ使用上の安全が図られている。
【０００３】
ところで、器体ｃの張り出し部ｅは操作パネルｈを設けるだけの平面スペースを必要とし、近時の電気ポットの多機能化により必要面積が勢い大きくなっていて、同時に電気ポットは家庭や職場などでの使用の広がり、生活上での使用頻度、依存度の増大などで、大容量化や、乳幼児への安全性確保などのための前記止水弁機構などの付帯機構の増大による大型化が進んでいる。これに反して、一方では、各種製品の小型化、軽量化、省資源化、省スペース化が叫ばれ、電気ポットにおいても台所やテーブル上で場所を取らず、他と干渉しにくい、かさ低いものが望まれている。
【０００４】
従来例１、３は使用の安全を図るのに、器体ｃが転倒したときに吐出路ｇから熱湯が流出するのを防ぐ転倒時止水弁ｊに加え、器体ｃが前方に傾いたときの流出を防止する前傾時止水弁ｋも設けており、しかも、前傾時止水弁ｋは器体ｃの前傾によって弁体ｖが前方へ転がり止水する通路を器体ｃの前後方向に延びるように設けているので、従来例１に示すように弁体ｍ器体ｃの張り出し部ｅ内で大きく張る。従来例２はさらに横向き転倒時止水弁ｐも有したもので、さらにかさ張る構成である。
【０００５】
これらのため、吐出路ｇにおける器体ｃの張り出し部ｅの前後に位置した吐出口ｆと転倒時止水弁ｊなどとの間の吐出口側部分ｑは、転倒時止水弁ｊから上向きに出て前方へ折れ曲がった後下向きの吐出口ｆに続く逆Ｕ字状の形態をなして、逆Ｕ字状部の頂部ｑ１が前記の操作・表示系基板ボックスｉの底部の左右方向の中央位置を前後に横断するように設けられた溝ｒ内に入り込む構成として、器体ｃの張り出し部ｅが上下方向に余り大きくならないようにしている。
【０００６】
【発明が解決しようとする課題】
しかし、上記した操作・表示系基板ボックスｉの溝ｒは、中に収容する操作・表示系回路を装備した操作・表示系基板ｓを図１０に代表して示すように左右２つに分断する。分断は電子部品を実装した後に行なうことで、１つの基板として取扱い電子部品を実装することはできるが、分断作業と、分断した基板を繋ぐ結線回路ｔおよびその接続作業が必要となるし、位置決めおよび取付けの作業が２倍になる。このためコスト上昇の原因になる。しかも、溝ｒは操作・表示系基板ボックスｉと吐出口側部分ｑの頂部ｑ１との重なりを０にすることができないもので、その分かさ張り防止に不利である。
【０００７】
本発明の目的は、吐出路が器体の張り出し部内において操作・表示系基板を分断せずしかもかさ張らないように設けられる電気貯湯容器を提供することにある。
【０００８】
【課題を解決するための手段】
本発明の電気貯湯容器は、外装ケース内に内容器を収容して貯湯する器体と、内容器内の内容液を加熱するヒータと、内容器の下部から延びて立ち上がり器体の上部前方への張り出し部に器体外への吐出口を持ち、内容液を器体外に吐出する吐出路と、前記器体の張り出し部の上面に設けられた操作パネルと、前記器体の張り出し部内に設けられた、操作パネルに対応した操作・表示系基板ボックス、および吐出路途中の器体が異常姿勢のときに閉じる止水弁とを備えたことを基本構成とし、操作パネルで設定されるモードに従って制御手段がヒータを働かせて貯湯を行ない、ユーザは電動ポンプや図示しない手動のポンプを働かせて貯湯されている内容液を吐出路を通じて器体外に吐出して使用することができる。さらに、吐出路途中にある止水弁が器体が異常姿勢のときに閉じるので使用上の安全が図れる。
【０００９】
本発明の電気貯湯容器は、特に、上記の目的を達成するために、前記吐出路における止水弁を経た後の吐出口側部分を、操作・表示系基板ボックスまわりと器体の張り出し部周壁との間に前記吐出口側部分配置分残して設けたデッドスペース内を回して、器体の張り出し部の前端側に位置した吐出口に、操作・表示系基板ボックスと上下に重ならないで至るようにしたことを１つの特徴としている。
【００１０】
このような構成では、吐出路の止水弁を経た後の吐出口側部分が、操作・表示系基板ボックスまわりと器体の張り出し部周壁との間の前記吐出口側部分配置分残して設けたデッドスペース内を回して器体の張り出し部の前端側に位置した吐出口に、操作・表示系基板ボックスと上下に重ならないで至っていることにより、操作・表示系基板ボックスのまわりの前記吐出口側部分配置分残して設けたデッドスペースを有効に利用して、吐出口の位置が変わる不便なく、器体の操作・表示系基板ボックスと吐出口側部分との上下の重なりを全くなくして、器体の張り出し部の上下のかさ張りを従来よりも小さくできるようにしながら、しかも、器体の張り出し部を横断しないので、この操作・表示系基板ボックス内に収容される回路基板である操作・表示系基板を１つのものとしてよく、２つに分断される従来のような問題を解消することができ、コスト低減も図れる。
【００１１】
本発明の電気貯湯容器は、また、上記の目的を達成するために、吐出路に転倒時止水弁および前傾時止水弁、またはさらに横向き転倒時止水弁を備え、前記吐出路における前記止水弁を経た後の吐出口側部分を、操作・表示系基板ボックスまわりと器体の張り出し部周壁との間に前記吐出口側部分配置分残して設けたデッドスペース内を回して、器体の張り出し部の前端側に位置した吐出口に、操作・表示系基板ボックスと上下に重ならないで至るようにしたことを別の特徴としている。
【００１２】
このように止水弁が、少なくとも転倒時止水弁と前傾時止水弁とであると、転倒時と前傾時の２種類の止水機能による使用の安全が図れる。これに横向き転倒時止水弁を備えていると横向き転倒時にも止水機能が得られる。
【００１３】
しかも、操作・表示系基板ボックスのまわりの前記吐出口側部分配置分残して設けたデッドスペースを操作・表示系基板ボックスと上下に重ならないで至るようにして有効に利用し、吐出口の位置が変わる不便なく、器体の操作・表示系基板ボックスと吐出口側部分との上下の重なりを全くなくして、器体の張り出し部の上下のかさ張りを従来よりも小さくできるようにしながら、しかも、器体の張り出し部を横断しないので、この操作・表示系基板ボックス内に収容される回路基板である操作・表示系基板を１つのものとしてよく、２つに分断される従来のような問題を解消することができ、コスト低減も図れる。
【００１４】
本発明の電気貯湯容器は、また、上記の目的を達成するために、吐出路に転倒時止水弁、前傾時止水弁、横向き転倒時止水弁とを、器体の張り出し部の基部の左側または右側に位置するようにして備え、これら止水弁を経た後の吐出口側部分を、操作・表示系基板ボックスまわりと器体の張り出し部周壁との間に前記吐出口側部分配置分残して設けたデッドスペース内を回して、器体の張り出し部の前端側に位置した吐出口に、操作・表示系基板ボックスと上下に重ならないで至るようにしたことを他の特徴としている。
【００１５】
このように止水弁が器体の張り出し部の基部の左右一方側に位置していると、上記別の特徴の場合の作用効果に併せ、吐出口側部分の止水弁から張り出し部前部にある吐出口までの経路の長さが短くなるので、吐出口側部分を配置する構造が複雑化したり大型化したりするのを防止することができる。
【００１６】
本発明のそれ以上の目的および特徴は、以下の詳細な説明および図面によって明らかになる。本発明の各特徴は可能な限りにおいて、それ単独で、あるいは種々な組合せで複合して用いることができる。
【００１７】
【発明の実施の形態】
以下、本発明の電気貯湯容器の実施の形態に係る電気ポットについてその図１〜図７を参照しながら説明し、本発明の理解に供する。
【００１８】
本実施の形態の電気ポットは図２に示すように、外装ケース１内に内容器２を収容して貯湯する器体３と、内容器２内の内容液を加熱するヒータ４と、内容器２の下部から延びて立ち上がり器体３の上部前方への張り出し部５に器体３外への吐出口６を持ち、内容液を器体３外に吐出する吐出路７と、前記器体３の張り出し部５の上面に設けられた操作パネル９と、前記器体３の張り出し部５内に設けられた、操作パネル９に対応した操作・表示系基板ボックス８、および吐出路７途中の器体３が異常姿勢のときに閉じる止水弁１１、１２、１３（図１〜図６）または止水弁１１、１２（図７）とを備え、操作パネル９で設定されるモードに従って制御手段１４がヒータ４を沸騰や保温モードで働かせて貯湯を行なう。ユーザは電動ポンプ１５や図示しない手動のポンプを働かせて貯湯されている内容液を吐出路７を通じて器体外に吐出して使用することができる。さらに、吐出路途中にある止水弁が器体３が異常姿勢のときに閉じるので使用上の安全が図れる。本発明はこれに限られることはなく、同様な基本構造を持った電気貯湯容器全般に適用して有効であり、本発明の範疇に属する。
【００１９】
外装ケース１は合成樹脂製で底部と胴部が一体成形されたものとし、合成樹脂製の肩部材１６と嵌め合せて接合している。しかし、胴部を金属製にして合成樹脂製の底部および肩部と結合してもよく具体的構成は種々に設計することができる。内容器２は外筒２ａと内筒２ｂとを組み合せて相互間を真空断熱空間２ｃとした真空二重容器としてあり、材料は熱伝導性が低く耐蝕性に優れたステンレス鋼を用いている。内容器２は上端の外フランジを肩部材１６が形成している器体開口１７の内周に形成された段差面にシールパッキングを介して下方から受けられ、自身の底部と外装ケース１の底部とが図示しない金具で連結されて外装ケース１、肩部材１６、内容器２を一体化している。しかし、内容器２は合成樹脂やその他の材料でもよい。また、真空二重容器でなくてもよいし、図１１に示す従来例３のように一重の内容器の中に真空二重容器を嵌め合せて三重の容器構造にしてもよい。また、内容器２の固定方式も特に問わない。
【００２０】
器体開口１７にはこれを内容器２とともに開閉する器体蓋１８が設けられている。器体蓋１８は肩部材１６の後部に設けられた軸受部１９にヒンジピン２１を嵌め合せてヒンジピン２１を中心とした回動により開閉できるように支持される。軸受部１９は前方に向け開放していて器体蓋１８が器体開口１７から前後に移動できるまでに所定量以上開いた状態でヒンジピン２１を軸受部１９に対し出し入れして器体蓋１８を着脱できるようにしている。
【００２１】
器体蓋１８の前部である自由端部にばね２２により係止位置に常時あるよう付勢されたロック部材２３が設けられ、器体蓋１８が閉じられたときロック部材２３が肩部材１６の係止部２０に係合して器体蓋１８を閉じ状態にロックするようにしてある。ロック部材２３によるロックは、器体蓋１８の上面に設けられたロック解除レバー２４を軸２５を中心に時計方向に回動させることによってロック部材２３をばね２２に抗し後退させて解除することができる。ロック解除レバー２４の時計方向の回動は、ロック解除レバー２４の前端部２４ａを親指で押しさげながらこれにより器体蓋１８の上面に突出する後端部２４ｂを人差し指や薬指あるいはその両方で持ち上げて行なうことができ、ロック解除に引き続きロック解除レバー２４を引き上げると器体蓋１８を最終まで開くことができる。
【００２２】
器体蓋１８の内側には金属製の内蓋２６が当てがわれ、外周のシールパッキング２７が内容器２の口部に密着して内容器２を閉じる耐熱構造にしてある。材料は熱伝導性が低く耐蝕性があることからステンレス鋼としてある。器体蓋１８の内部には内容器２内と器体蓋１８の外部とを連通させる蒸気通路２９が設けられ、内容器２内で発生する蒸気を外部に放出し、異常昇圧を防止するようにしてある。蒸気通路２９には転倒時止水弁３１が設けられ、器体３の転倒時に閉じて蒸気通路２９を通じ内容液が流出するのを防止する。蒸気通路２９の途中には蒸気通路２９が拡張した液溜まり室２９ａや迂回路２９ｂなどが設けられ、内容液が万一にも転倒時止水弁３１を越えて流出してきても、液溜まり室２９ａに溜めたり、迂回路２９ｂで迂回させたりして外部に流出するのを遅らせ、内容液が流出するまでに器体３を起こすなど措置できるようにしている。しかし、器体蓋１８の具体的構造や開閉方式、ロック方式などは特に問わない。
【００２３】
ヒータ４は内容器２の一重に形成した底部の下面に当てがわれ、真空断熱空間２ｃの影響なしに内容液を効率よく加熱して湯沸かしや保温をし貯湯できるようにしている。しかし、ヒータ４の種類や設置方式、加熱方式は特に問わない。張り出し部５は外装ケース１および肩部材１６からややワイドな嘴状をなして上下に合わさって前方へ張り出すように一体成形してあり、肩部材１６の側の上面壁に操作パネル９を嵌め合せる開口８ａを持った操作・表示系基板ボックス８を下方に突出するように一体形成してある。操作・表示基板ボックス８内には操作・表示系基板３２がねじ３３で止めるなどして設けられている。操作・表示系基板３２には内容液の電動ポンプ１５による吐出を行い、あるいは各種モードを設定するために操作パネル９の樹脂ばねなどで支持された各種キー３４によって操作されるスイッチ、設定されるモードや動作状態、操作案内など必要な表示を操作パネル９に対して行うＬＥＤなどのランプ類や液晶表示部などが設けられ、制御手段１４と電気的に連動する。必要に応じてブザーや室温センサなども設けられる。
【００２４】
制御手段１４は外装ケース１の底部に一体成形されるか、ねじ止めされた下向きの回路ボックス３５内に収容された制御回路基板であり、回路ボックス３５は外装ケース１の底部の開口部に位置し、下方から蓋３６が被せ付けられている。外装ケース１の底部の開口部には下方から合成樹脂製の底蓋１３７が当てがわれ、外周部の爪の係合とねじ止めとにより外装ケース１の底部に取付けられている。底蓋１３７と外装ケース１の底部との間には回転座体１３８が回動できるように挟み込まれ、電気貯湯容器が定置されたときその器体３を３６０度未満の範囲で往復回動できるように支え、器体３の向きを変えられるようにしている。
【００２５】
電動ポンプ１５は内容器２の底部下に位置し、内容器２の底部の若干盛りあがった部分に位置する流入口３７から下方に伸びる吐出路７に流入する内容液を、遠心ポンプ方式で吐出路７の立ち上がり部３８に送り出し、吐出口側部分３９を経て吐出口６に導き器体３外に吐出する。吐出路７の立ち上がり部３８にはその各高さ位置に内容液の有無をフォトカプラなどによって検出する水位センサ４２が必要段数設けられ、内容液が今どの位置まであるかを検出する。つまりその時々の液量を段階的に検出して器体３の前面や操作パネル９に設けられる液量表示部に段階的に表示する。検出し表示する最小の液量は給水しないと空焚きになる危険水位であり、最大の液量はそれ以上容れると使用が危険になる満水水位である。後はそれらの中間水位で危険のない残量の表示である。液量の検出方式や表示方式は種々の方式を採用することができる。
【００２６】
転倒時止水弁１１、前傾時止水弁１２、および横向き転倒時止水弁１３は、図１、図３〜図５に示すように吐出路７の立ち上がり部３８の上部に設けられ、器体３の転倒、前傾、横向き転倒の３つの姿勢異常に対応することができ使用上の安全性が高いものとなっている。にもかかわらず、以下のような構造によってかさ張らず省スペースなものになっている。
【００２７】
これについて説明すると、前記吐出路７における転倒時止水弁１１を経た後の吐出口側部分３９を操作・表示系基板ボックス８まわりと器体３における張り出し部５の周壁との間の前記吐出口側部分配置分残して設けたデッドスペース内を回して張り出し部５の前端側の１つの例としてほぼ中央に位置した吐出口６に至るようにしている。このように、吐出路７の転倒時止水弁１１を経た後の吐出口側部分３９が、操作・表示系基板ボックス８まわりと張り出し部５の周壁との間を回して張り出し部５の前端側に位置した吐出口６に至っていることにより、操作・表示系基板ボックス８のまわりの前記吐出口側部分配置分残して設けたデッドスペースを操作・表示系基板ボックスと上下に重ならないで至るようにして有効に利用し、吐出口６の位置が変わる不便なく、器体３の操作・表示系基板ボックス８と吐出口側部分３９との上下の重なりを全くなくして、張り出し部５の上下のかさ張りを従来よりも小さくできるようにしながら、しかも、張り出し部５を横断しないことにより、この操作・表示系基板ボックス８内に収容される回路基板である操作・表示系基板３２を１つのものとしてよく、２つに分断される従来のような問題を解消することができ、コスト低減も図れる。
【００２８】
吐出口側部分３９は、柔軟な樹脂などからなる可撓性のあるものや屈曲構造、可撓構造を有するものなど屈曲できるパイプとしてある。これにより前記の操作・表示系基板ボックス８まわりと張り出し部５の周壁との間を回すのに特別な成形品としなくても対応することができ、コスト上昇の原因にはならない。
【００２９】
吐出口側部分３９はまた、転倒時止水弁１１部と吐出口６部との間に図１、図２に示すようにほぼ水平面上で接続してある。これによると、設置に必要な高さスペースが最小となるし、張り出し部５の外周部が同じ高さレベルに設計されるような場合にも適合できる。
【００３０】
吐出口側部分３９はさらに、操作・表示系基板ボックス８の高さとほぼ同等か図２に示すようにそれ以下の太さであると、吐出口側部分３９を設けるための特別な高さスペースが全くいらなくなるので、張り出し部５のかさ張り防止に好適である。
【００３１】
転倒時止水弁１１は張り出し部５の基部の左右一方側、図１〜７の場合は前方から見て右側に位置している。これによると、吐出口側部分３９の転倒時止水弁１１から張り出し部５の前部ほぼ中央にある吐出口６部までの経路の長さが短くなるので、吐出口側部分３９を配置する構造が複雑化したり大型化したりするのを防止することができる。
【００３２】
止水弁１１〜１３は少なくとも、転倒時止水弁１１と前傾時止水弁１２とがあれば充分であり、前傾時止水弁１２（図７）または前傾時止水弁１２および横向き転倒時止水弁１３は内容器２の胴部外面に沿って前後方向に対し斜めに向く方向に設けられている。これによると、器体３の転倒時および横向き転倒時に転倒時止水弁１１および横向き転倒に応動して止水機能を果たすのは勿論、前傾時止水弁１２は前記斜め配置された状態でも器体３の前傾に応じて後傾成分を持った姿勢状態から前傾成分を持った姿勢状態に変化して止水機能を果たすことができ、それぞれの特徴を活かした使用の安全を図れる。しかも、前傾時止水弁１２および横向き転倒時止水弁１３が図１、図３〜図５、図７に示すように内容器２の胴部外面に沿って前後方向に対し斜めに向いていることにより、内容器２と外装ケース１との間のデッドスペースに沿って位置する状態となるので、前傾時止水弁１２および横向き転倒時止水弁１３を張り出し部５の基部における左右の一方側に配置するのに、特別な前後方向のスペースが要らないので省スペース化に有効である。
【００３３】
【発明の効果】
本発明の１つの特徴によれば、吐出路の止水弁を経た後の吐出口側部分が、操作・表示系基板ボックスまわりと器体の張り出し部周壁との間の前記吐出口側部分配置分残して設けたデッドスペース内を回して器体の張り出し部の前端側に位置した吐出口に、操作・表示系基板ボックスと上下に重ならないで至っていることにより、操作・表示系基板ボックスのまわりの前記吐出口側部分配置分残して設けたデッドスペースを有効に利用して、吐出口の位置が変わる不便なく、器体の操作・表示系基板ボックスと吐出口側部分との上下の重なりを全くなくして、器体の張り出し部の上下のかさ張りを従来よりも小さくできるようにしながら、しかも、器体の張り出し部を横断しないので、この操作・表示系基板ボックス内に収容される回路基板である操作・表示系基板を１つのものとしてよく、２つに分断される従来のような問題を解消することができ、コスト低減も図れる。
【００３４】
本発明の別の特徴によれば、止水弁が、少なくとも転倒時止水弁と前傾時止水弁とであると、転倒時と前傾時の２種類の止水機能による使用の安全が図れる。これに横向き転倒時止水弁を備えていると横向き転倒時にも止水機能が得られる。
【００３５】
しかも、操作・表示系基板ボックスのまわりの前記吐出口側部分配置分残して設けたデッドスペースを操作・表示系基板ボックスと上下に重ならないで至るようにして有効に利用し、吐出口の位置が変わる不便なく、器体の操作・表示系基板ボックスと吐出口側部分との上下の重なりを全くなくして、器体の張り出し部の上下のかさ張りを従来よりも小さくできるようにしながら、しかも、器体の張り出し部を横断しないので、この操作・表示系基板ボックス内に収容される回路基板である操作・表示系基板を１つのものとしてよく、２つに分断される従来のような問題を解消することができ、コスト低減も図れる。
【００３６】
本発明の他の特徴によれば、止水弁が器体の張り出し部の基部の左右一方側に位置していることにより、上記別の特徴の場合の作用効果に併せ、吐出口側部分の止水弁から張り出し部前部にある吐出口までの経路の長さが短くなるので、吐出口側部分を配置する構造が複雑化したり大型化したりするのを防止することができる。
【図面の簡単な説明】
【図１】本発明の実施の形態に係る電気貯湯容器の１つの例を示す内容器および肩部材の前方下部から見た斜視図である。
【図２】図１の電気ポットの断面図である。
【図３】図１の電気ポットの内容器および肩部材の側面図である。
【図４】図３の正面図である。
【図５】図３の前部側の下面である。
【図６】図５の操作パネルを取り外して見た平面図である。
【図７】電気ポットの今１つの例を示す側方下部より見た内容器および肩部材の前部側の斜視図である。
【図８】電気ポットの１つの従来例を示す断面図である。
【図９】電気ポットの別の従来例を示す肩部材の前部側の下面図である。
【図１０】図８の平面図である。
【図１１】電気ポットの今１つの従来例を示す断面図である。
【符号の説明】
１  外装ケース
２  内容器
３  器体
４  ヒータ
５  張り出し部
６  吐出口
７  吐出路
８  操作・表示系基板ボックス
９  操作パネル
１１  転倒時止水弁
１２  前傾時止水弁
１３  横向き転倒時止水弁
１４  制御手段
１５  電動ポンプ
１６  肩部材
３９  吐出口側部分
４２  操作・表示系基板
【図１】
0003542543.tif 000002
【図２】
0003542543.tif 000003
【図３】
0003542543.tif 000004
【図４】
0003542543.tif 000005
【図５】
0003542543.tif 000006
【図６】
0003542543.tif 000007
【図７】
0003542543.tif 000008
【図８】
0003542543.tif 000009
【図９】
0003542543.tif 000010
【図１０】
0003542543.tif 000011
【図１１】
0003542543.tif 000012